(57)【特許請求の範囲】
【請求項１】
同一あるいは異なった伝送速度及び符号形式を有する複数の光伝送装置（３、４）と送受信を行う光波長多重（ＷＤＭ）光伝送装置（１）が、同一あるいは異なった伝送速度及び符号形式を有する複数の光伝送装置（３’、４’）と送受信を行う他のＷＤＭ光伝送装置（２）との間で、光ファイバを介して、複数の波長の光信号を合波して得られたＷＤＭ信号を送受信して相互に通信を行うことにより、対応する光伝送装置間で相互に通信を行うＷＤＭ光伝送システムにおいて、
一方の前記ＷＤＭ光伝送装置は、
他方の前記ＷＤＭ光伝送装置から受信したＷＤＭ信号を分波して複数の波長の光信号を出力する分波器と、
前記分波器から出力される複数の波長の光信号の少なくとも１つの光信号を電気受信信号に変換する光電変換器と、
前記電気受信信号のパルス幅の歪みを補正するリタイミング部と、
前記パルス幅の歪みを補正された前記電気受信信号を光受信信号に変換して所定の光伝送装置に送出する光送出部と、
前記所定の光伝送装置から送出されて受信した光送信信号を電気送信信号に変換して出力する光受信部と、
前記電気送信信号を光送信信号に変換する電気光変換器と、
前記電気光変換器によって変換された前記光送信信号を合波する合波器とを備え、
前記リタイミング部は、前記電気送信信号の伝送速度を検出しその検出結果に基づいて前記電気受信信号の前記パルス幅の歪みを補正することを特徴とするＷＤＭ光伝送システム。
【請求項２】
前記光送出部は、前記光受信部と組み合わせて光トランシーバを構成し、
前記光トランシーバは、前記所定の光伝送装置の送受信波長に応じた送受信波長で動作する固有の光トランシーバであることを特徴とする請求項１記載のＷＤＭ光伝送システム。
【請求項３】
前記光トランシーバは、異なった伝送速度および異なった符号形式を有する複数の光伝送装置に使用されることを特徴とする請求項２記載のＷＤＭ光伝送システム。
【発明の詳細な説明】
【０００１】
【発明の属する技術分野】
本発明はＷＤＭ光伝送システムに関し、特に、ジッター圧縮を実現し、かつ、異なる伝送速度および異なる符号形式に対しても共通の光トランシーバを使用することができるＷＤＭ光伝送システムに関する。
【０００２】
【従来の技術】
図２は、従来のＷＤＭ光伝送システムを示す。この従来のＷＤＭ光伝送システムにおいて、１，２はＷＤＭ光伝送装置、３，４，３’，４’は任意の光伝送装置、５，６は光トランシーバ、７はλ1 用電光変換部、８はλ2 用光電変換部、９はλ1 用光電変換部、１０はλ2 用電光変換部、１１はλ3 用電光変換部、１２はλ4 用光電変換部、１３はλ3 用光電変換部、１４はλ4 用電光変換部、１５，１６は光合・分波器である。光トランシーバ５，６は、光受信部５−１，６−１，光送出部５−２，６−２，およびリタイミング部５−３，６−３を有する。光伝送装置３，４，３’４’は電光変換部３−１，４−１，３’−１，４’−１および光電変換部３−２，４−２，３’−２，４’−２を有する。
【０００３】
このＷＤＭ光伝送システムにおいて、光伝送装置３の電光変換部３−１から波長λ1 の光信号を送出すると、ＷＤＭ光伝送装置１の光トランシーバ５の光受信部５- １に受信される。光受信部５−１は、その光信号を電気信号に変換して出力すると、リタイミング部５−３は光伝送装置３とＷＤＭ光伝送装置１の間で発生したパルス幅の歪みを補正してジッター圧縮を行う。リタイミング部５−３より出力された電気信号は電光変換部７で波長λ1 の光信号に変換されて光合・分波器１５に入力する。光合・分波器１５はこの光信号を電光変換部１１より出力される波長λ3 の光信号と合波してＷＤＭ信号とし、このＷＤＭ信号を光ファイバ２０を介してＷＤＭ光伝送装置２へ伝送する。
【０００４】
ＷＤＭ光伝送装置２において、ＷＤＭ信号を入力した光合・分波器１６は波長λ1 と波長λ3 の光信号に分波して出力する。波長λ1 の光信号は光電変換部９によって電気信号に変換されて光トランシーバ５に入力する。光トランシーバ５に入力した電気信号は光送出部５−２によって光信号に変換されて光伝送装置３’に送出される。光伝送装置３’は光電変換部３’−２によって波長λ1 の光信号を電気信号に変換する。このようにして、光伝送装置３から光伝送装置３’への通信が行われる。光伝送装置３’から波長λ2 の光信号を使用した光伝送装置３への通信、光伝送装置４から波長λ3 の光信号を使用した光伝送装置４’への通信、および光伝送装置４’から波長λ4 の光信号を使用した光伝送装置４への通信も同じようにして行われる。
【０００５】
このＷＤＭ光伝送システムにおいて、光トランシーバ５，６は光伝送装置３，４，３’４’の伝送速度および符号形式と一致したものを使用し、リタイミング部５−３，６−３は光電変換された電気信号からクロックを抽出し、そのクロックをＰＬＬ（Phase Locked Loop ）または狭帯域フィルタを介して位相同期を取ることによってパルス幅の歪みを補正し、ジッター圧縮を図っている。
【０００６】
【発明が解決しようとする課題】
しかし、従来のＷＤＭ光伝送システムによると、光伝送装置３，４，３’４’と光トランシーバ５，６の間の光伝送において発生するジッターは圧縮されるが、ＷＤＭ光伝送装置１，２間の光伝送におけるジッターはそのまま伝送されるため、ジッターが増加して伝送信号の品質を劣化させる。また、光トランシーバは個々の光伝送装置の伝送速度および符号形式に一致したものを使用しているため、光トランシーバの種類が増える。
従って、本発明の目的はＷＤＭ光伝送装置間の光伝送において発生したパルス幅の歪みを補正してジッターを圧縮することができるＷＤＭ光伝送システムを提供することにある。
また、本発明の他の目的は、伝送速度および符号形式の異なった光伝送装置に共通に使用できる光トランシーバを有したＷＤＭ光伝送システムを提供することにある。
【０００７】
【課題を解決するための手段】
本発明は、上記の目的を達成するため、同一あるいは異なった伝送速度及び符号形式を有する複数の光伝送装置（３、４）と送受信を行う光波長多重（ＷＤＭ）光伝送装置（１）が、同一あるいは異なった伝送速度及び符号形式を有する複数の光伝送装置（３’、４’）と送受信を行う他のＷＤＭ光伝送装置（２）との間で、光ファイバを介して、複数の波長の光信号を合波して得られたＷＤＭ信号を送受信して相互に通信を行うことにより、対応する光伝送装置間で相互に通信を行うＷＤＭ光伝送システムにおいて、一方の前記ＷＤＭ光伝送装置は、他方の前記ＷＤＭ光伝送装置から受信したＷＤＭ信号を分波して複数の波長の光信号を出力する分波器と、前記分波器から出力される複数の波長の光信号の少なくとも１つの光信号を電気受信信号に変換する光電変換器と、前記電気受信信号のパルス幅の歪みを補正するリタイミング部と、前記パルス幅の歪みを補正された前記電気受信信号を光受信信号に変換して所定の光伝送装置に送出する光送出部と、前記所定の光伝送装置から送出されて受信した光送信信号を電気送信信号に変換して出力する光受信部と、前記電気送信信号を光送信信号に変換する電気光変換器と、前記電気光変換器によって変換された前記光送信信号を合波する合波器とを備え、前記リタイミング部は、前記電気送信信号の伝送速度を検出しその検出結果に基づいて前記電気受信信号の前記パルス幅の歪みを補正することを特徴とするＷＤＭ光伝送システムを提供する。
【０００８】
【発明の実施の形態】
図１は、本発明の実施の形態のＷＤＭ光伝送システムを示す。このＷＤＭ光伝送システムにおいて、１，２はＷＤＭ光伝送装置、３，４，３’，４’は任意の光伝送装置、５，６は光トランシーバ、７はλ1 用電光変換部、８はλ2 用光電変換部、９はλ1 用光電変換部、１０はλ2 用電光変換部、１１はλ3 用電光変換部、１２はλ4 用光電変換部、１３はλ3 用光電変換部、１４はλ4 用電光変換部、１５，１６は光合・分波器，１７は伝送速度検出部，１８はリタイミング部である。光伝送装置３，４，３’４’は電光変換部３−１，４−１，３’−１，４’−１および光電変換部３−２，４−２，３’−２，４’−２を有し、光トランシーバ５，６は、光受信部５−１，６−１，光送出部５−２，６−２を有する。
【０００９】
このＷＤＭ光伝送システムにおいて、光伝送装置３，４と光伝送装置３’，４’との間の通信は図２のＷＤＭ光伝送システムと同じようにして行われるが、光伝送装置３より送出された波長λ1 の光信号はＷＤＭ光伝送装置１および光ファイバ２０を介してＷＤＭ光伝送装置２へ伝送されるとき、光合・分波器１６で分波された後、光電変換部９で電気信号にされてからリタイミング部１８によってパルス幅の歪みを補正される構成および作用において図２のＷＤＭ光伝送システムと相違する。波長λ2 ，λ3 ，λ4 の光信号も同じであり、光波長多重信号として光ファイバ２０を伝搬し、光合・分波器１５あるいは１６によって分波された後、光電変換されてから対応するリタイミング部１８によってパルス幅の歪みを補正される。
【００１０】
図１の構成から明らかなように、リタイミング部１８は光トランシーバ５，６の光送出部５−２，６−２の前段に配置されている。この構成によって光ファイバ２０を介してＷＤＭ光伝送装置１，２間を伝送されることにより発生した光信号のパルス幅の歪みを補正してジッターの圧縮を実現する。
【００１１】
光トランシーバ５，６の光受信部５−１，６−１の出力には伝送速度検出部１７が接続されている。この伝送速度検出部１７は光トランシーバ５，６の光受信部５- １，６- １から出力される電気信号の伝送速度を検出して検出結果をリタイミング部１８へ供給する。従って、光伝送装置３，４，３’４’が異なった伝送速度および異なった符号形式のものであっても共通の光トランシーバ５，６を使用することができる。
【００１２】
以上の実施の形態では、光トランシーバ５，６の内部にはリタイミング部が設けられていないが、図２のように光トランシーバ５，６の内部にもリタイミング部を設けるようにしても良い。
【００１３】
【発明の効果】
以上説明した通り、本発明のＷＤＭ光伝送システムによると、任意の光伝送装置へ光信号を送出する光トランシーバの光送出部の前段にリタイミング部を設けたため、光ファイバを介して行われるＷＤＭ光伝送装置間の通信によって発生するパルス幅の歪みを補正することができ、これによりジッターの圧縮を実現することができる。また、任意の光伝送装置の伝送速度を検出してその検出結果をリタイミング部に供給するようにしたため、異なる伝送速度および異なる符号形式の任意の光伝送装置に対して共通の光トランシーバを使用することができる。
【図面の簡単な説明】
【図１】本発明の実施の形態のＷＤＭ光伝送システムを示すブロック図
【図２】従来のＷＤＭ光伝送システムを示すブロック図
【符号の説明】
１，ＷＤＭ光伝送装置
２，ＷＤＭ光伝送装置
３，光伝送装置
３’，光伝送装置
４，光伝送装置
４’，光伝送装置
５，光トランシーバ
５−１，光受信部
５−２，光放出部
６，光トランシーバ
６−１，光受信部
６−２，光放出部
７，電光変換部
８，光電変換部
９，光電変換部
１０，電光変換部
１１，電光変換部
１２，光電変換部
１３，光電変換部
１４，電光変換部
１５，光合・分波器
１６，光合・分波器
１７，伝送速度検出部
１８，リタイミング部
２０，光ファイバ
【図１】
0003707955.tif 000002
【図２】
0003707955.tif 000003